(57)【要約】【課題】第一ハウジングと第二ハウジングとが開閉自在で、第一ハウジングの他面に音声出力部が形成されている構造で、開放状態と閉止状態での一面側と他面側との音圧の格差を低減することができる構造の携帯電話端末１００を提供する。【解決手段】開放状態のときには音声出力部１４１が第一ハウジング１１０の他面の縁部に近接した位置に配置されることにより、音声出力部１４１が出力する音声が第一ハウジング１１０の他面の両側から一面側に良好に回り込むので、一面側と他面側との音圧の格差を低減することができる。閉止状態のときには音声出力部１４２が第一ハウジング１１０の他面の縁部から離間した位置に配置されることにより、音声出力部１４２が出力する音声が第一ハウジング１１０の他面で良好に反射されるので、一面側と他面側との音圧の格差を低減することができる。【選択図】図１
2007251578.tif 000002
【特許請求の範囲】
【請求項１】
扁平なボックス状の第一ハウジングと、扁平なボックス状の第二ハウジングと、前記第一ハウジングと前記第二ハウジングとを開閉自在に軸支しているヒンジ機構と、を有しており、前記第一ハウジングと前記第二ハウジングとの一面が閉止状態では対向して開放状態では離間する電気機器であって、
前記第一ハウジングの前記一面とは逆側の他面に配置されていて音声を出力する音声出力部と、
前記音声出力部を前記開放状態のときに前記ヒンジ機構の軸心方向で前記第一ハウジングの縁部に近接した位置に配置して前記閉止状態のときに前記縁部から離間した位置に配置する位置移動機構と、
を有している電気機器。
【請求項２】
前記軸心方向で前記縁部に近接している外側開口と前記縁部から離間している内側開口とが前記第一ハウジングの他面に前記音声出力部として形成されており、
前記外側開口と前記内側開口とに音声を出力する音声出力デバイスが前記第一ハウジングの内部に配置されており、
前記位置移動機構は、前記開放状態のときに前記外側開口を開放するとともに前記内側開口を閉止し、前記閉止状態のときに前記外側開口を閉止するとともに前記内側開口を開放する請求項１に記載の電気機器。
【請求項３】
前記第一ハウジングの他面に一対の前記音声出力部が前記ヒンジ機構の軸心方向と平行に配列されおり、
前記位置移動機構は、一対の前記音声出力部を前記開放状態のときに前記軸心方向で前記第一ハウジングの縁部に近接した位置に各々配置して前記閉止状態のときに前記縁部から離間した位置に各々配置する請求項１に記載の電気機器。
【請求項４】
前記軸心方向で前記縁部に近接している一対の外側開口と前記縁部から離間している一対の内側開口とが前記第一ハウジングの他面に前記音声出力部として形成されており、
前記外側開口と前記内側開口とに音声を出力する音声出力デバイスが前記第一ハウジングの内部に配置されており、
前記位置移動機構は、前記開放状態のときに一対の前記外側開口を各々開放するとともに一対の前記内側開口を各々閉止し、前記閉止状態のときに一対の前記外側開口を各々閉止するとともに一対の前記内側開口を各々開放する請求項３に記載の電気機器。
【請求項５】
扁平なボックス状の第一ハウジングと、扁平なボックス状の第二ハウジングと、前記第一ハウジングと前記第二ハウジングとを開閉自在に軸支しているヒンジ機構と、を有しており、前記第一ハウジングと前記第二ハウジングとの一面が閉止状態では対向して開放状態では離間する電気機器であって、
前記第一ハウジングの前記一面に配置されていて音声を出力する音声出力部と、
前記音声出力部を前記開放状態のときに前記ヒンジ機構の軸心方向で前記第一ハウジングの縁部から離間した位置に配置して前記閉止状態のときに前記縁部に近接した位置に配置する位置移動機構と、
を有している電気機器。
【請求項６】
前記軸心方向で前記縁部に近接している外側開口と前記縁部から離間している内側開口とが前記第一ハウジングの一面に前記音声出力部として形成されており、
前記外側開口と前記内側開口とに音声を出力する音声出力デバイスが前記第一ハウジングの内部に配置されており、
前記位置移動機構は、前記開放状態のときに前記外側開口を閉止するとともに前記内側開口を開放し、前記閉止状態のときに前記外側開口を開放するとともに前記内側開口を閉止する請求項５に記載の電気機器。
【請求項７】
前記第一ハウジングの一面に一対の前記音声出力部が前記ヒンジ機構の軸心方向と平行に配列されおり、
前記位置移動機構は、一対の前記音声出力部を前記開放状態のときに前記軸心方向で前記第一ハウジングの縁部から離間した位置に各々配置して前記閉止状態のときに前記縁部に近接した位置に各々配置する請求項５に記載の電気機器。
【請求項８】
前記軸心方向で前記縁部に近接している一対の外側開口と前記縁部から離間している一対の内側開口とが前記第一ハウジングの一面に前記音声出力部として形成されており、
前記外側開口と前記内側開口とに音声を出力する音声出力デバイスが前記第一ハウジングの内部に配置されており、
前記位置移動機構は、前記開放状態のときに一対の前記外側開口を各々閉止するとともに一対の前記内側開口を各々開放し、前記閉止状態のときに一対の前記外側開口を各々開放するとともに一対の前記内側開口を各々閉止する請求項７に記載の電気機器。
【請求項９】
閉止状態では前記第一ハウジングの一面と前記第二ハウジングの一面とが平行に対向し、開放状態では前記第一ハウジングの一面と前記第二ハウジングの一面との内角が直角以上で平角以下となる請求項１ないし８の何れか一項に記載の電気機器。
【発明の詳細な説明】
【技術分野】
【０００１】
本発明は、第一ハウジングと第二ハウジングとが開閉自在に軸支されている電気機器に関し、特に、第一ハウジングに音声出力部がある電気機器に関する。
【背景技術】
【０００２】
現在、携帯電話端末などの電気機器では、その携帯性を向上させるために第一ハウジングと第二ハウジングとが開閉自在な製品がある。図８に示すように、このような電気機器１０は、一般的に各々扁平なボックス状の第一ハウジング１１と第二ハウジング１２とがヒンジ機構により開閉自在に軸支されている。そして、第一ハウジング１１と第二ハウジング１２との一面が閉止状態では対向して開放状態では離間する。
【０００３】
上述のような電気機器１０である携帯電話端末では、通常、第一ハウジング１１の一面には、ＬＣＤ(Liquid Crystal Display)等のディスプレイパネルが配置されている。第二ハウジング１２の一面には、キーボードユニットが配置されている。
【０００４】
さらに、第一ハウジング１１の一面の上端近傍には、通話用のスピーカユニットが配置されている。第二ハウジング１２の一面の下端近傍には、通話用のマイクロフォンが配置されている。
【０００５】
携帯電話端末では、着信音声を出力するためのスピーカユニット１３も必要である。しかし、特性や出力の観点から、通話用のスピーカユニットと着信用のスピーカユニット１３との兼用は困難である。
【０００６】
そして、上述のように第一ハウジング１１と第二ハウジング１２との一面にはディスプレイパネルやキーボードや通話用のユニットが配置されており、着信用のスピーカユニット１３を配置することは困難である。
【０００７】
さらに、着信音声を出力するスピーカユニット１３は、第一ハウジング１１と第二ハウジング１２とが閉止された状態でも音声を良好に発生する必要がある。このため、着信用のスピーカユニット１３は、通常は閉止状態で外面となる第一ハウジング１１などの他面に配置されている。
【０００８】
また、現在では携帯電話端末の用途が拡大しており、例えば、着信用のスピーカユニット１３に鑑賞用の音楽を出力させることがある。さらに、ディスプレイパネルに鑑賞用の映画の画像などを表示させながら、その映画の音声を着信用のスピーカユニット１３に出力させることもある。
【０００９】
エンドユーザが音楽のみを鑑賞するような場合には、一般的にエンドユーザは閉止状態の第一ハウジング１１の他面を自身に対向させ、その他面のスピーカユニット１３から出力される音楽を聞くことになる。
【００１０】
また、エンドユーザが映画を鑑賞するような場合には、一般的にエンドユーザは開放状態の第一ハウジング１１の一面を自身に対向させてディスプレイパネルの画像を見ながら、第一ハウジング１１の他面のスピーカユニット１３から出力される音声を聞くことになる。
【００１１】
なお、上述のような構造の電気機器１０としては各種の提案がある(例えば、特許文献１〜４参照)。
【特許文献１】特開２００３−０６０７５７号
【特許文献２】特開２００３−３１９０３９号
【特許文献３】特開２００４−０２３３６８号
【特許文献４】特開２００４−２２１８４０号
【発明の開示】
【発明が解決しようとする課題】
【００１２】
上述のように第一ハウジング１１と第二ハウジング１２とが開閉自在な携帯電話端末などにおいて、着信用のスピーカユニット１３が鑑賞用の音声の出力に利用されることがある。
【００１３】
しかし、上述のような電気機器１０は、開放状態では第一ハウジング１１の他面から出力される音声が第二ハウジング１２の他面で反射される。また、閉止状態では、第一ハウジング１１の他面から出力される音声が、第二ハウジング１２の他面で反射されることなく第一ハウジング１１の一面側に回り込む。
【００１４】
換言すると、開放状態では第一ハウジング１１の一面側の音圧が低下して他面側の音圧が上昇している。また、閉止状態では第一ハウジング１１の他面側の音圧が低下して一面側の音圧が上昇している。
【００１５】
従って、図８に示すように、従来の電気機器１０では、開放状態での一面側の音圧をＡ、他面側の音圧をＢ、閉止状態での一面側の音圧をＡ′、他面側の音圧をＢ′、とすると、
Ｂ＞Ｂ′＞Ａ′＞Ａ
なる関係となっている。
【００１６】
このため、従来の電気機器１０では、前述のように開放状態で第一ハウジング１１の一面にエンドユーザが対向しているとき、そのエンドユーザに充分な音圧の音声を提供することができない。
【００１７】
一方、前述のように閉止状態で第一ハウジング１１の他面にエンドユーザが対向しているとき、そのエンドユーザに充分な音圧の音声を提供することができない。つまり、従来の電気機器１０は、その使用形態と音圧の分布とが適合していない。
【００１８】
本発明は上述のような課題に鑑みてなされたものであり、第一ハウジングと第二ハウジングとが開閉自在な構造で、開放状態では第一ハウジングの一面側の音圧を向上させることができ、閉止状態では第一ハウジングの他面側の音圧を向上させることができる、電気機器を提供するものである。
【課題を解決するための手段】
【００１９】
本発明の第一の電気機器は、扁平なボックス状の第一ハウジングと、扁平なボックス状の第二ハウジングと、第一ハウジングと第二ハウジングとを開閉自在に軸支しているヒンジ機構と、を有しており、第一ハウジングと第二ハウジングとの一面が閉止状態では対向して開放状態では離間する電気機器であって、第一ハウジングの一面とは逆側の他面に配置されていて音声を出力する音声出力部と、音声出力部を開放状態のときに軸心方向で第一ハウジングの縁部に近接した位置に配置して閉止状態のときに縁部から離間した位置に配置する位置移動機構と、を有している。
【００２０】
本発明の電気機器では、開放状態のときには音声出力部が第一ハウジングの他面の外側に位置するので、音声出力部が出力する音声が第一ハウジングの他面の両側から一面側に良好に回り込み、閉止状態のときには音声出力部が第一ハウジングの他面の内側に位置するので、音声出力部が出力する音声が第一ハウジングの他面で良好に反射される。
【００２１】
本発明の第二の電気機器は、扁平なボックス状の第一ハウジングと、扁平なボックス状の第二ハウジングと、第一ハウジングと第二ハウジングとを開閉自在に軸支しているヒンジ機構と、を有しており、第一ハウジングと第二ハウジングとの一面が閉止状態では対向して開放状態では離間する電気機器であって、第一ハウジングの一面に配置されていて音声を出力する音声出力部と、音声出力部を開放状態のときに軸心方向で第一ハウジングの縁部から離間した位置に配置して閉止状態のときに縁部に近接した位置に配置する位置移動機構と、を有している。
【００２２】
本発明の電気機器では、開放状態のときには音声出力部が第一ハウジングの一面の内側に位置するので、音声出力部が出力する音声が第一ハウジングの一面で良好に反射され、閉止状態のときには音声出力部が第一ハウジングの一面の外側に位置するので、音声出力部が出力する音声が第一ハウジングの一面の両側から他面側に良好に回り込む。
【００２３】
なお、本発明で云う各種の構成要素は、個々に独立した存在である必要もなく、複数の構成要素が１個の部材として形成されていること、１つの構成要素が複数の部材で形成されていること、ある構成要素が他の構成要素の一部であること、ある構成要素の一部と他の構成要素の一部とが重複していること、等でよい。
【発明の効果】
【００２４】
本発明の第一の電気機器では、開放状態のときには音声出力部が第一ハウジングの他面の外側に位置することにより、音声出力部が出力する音声が第一ハウジングの他面の両側から一面側に良好に回り込むので、一面側と他面側との音圧の格差を低減することができ、特に、開放状態で第一ハウジングの一面に対向するエンドユーザに音声を充分な音圧で提供することができ、閉止状態のときには音声出力部が第一ハウジングの他面の内側に位置することにより、音声出力部が出力する音声が第一ハウジングの他面で良好に反射されるので、一面側と他面側との音圧の格差を低減することができ、特に、閉止状態で第一ハウジングの他面に対向するエンドユーザに音声を充分な音圧で提供することができる。
【００２５】
本発明の第二の電気機器では、開放状態のときには音声出力部が第一ハウジングの一面の内側に位置することにより、音声出力部が出力する音声が第一ハウジングの一面で良好に反射されるので、一面側と他面側との音圧の格差を低減することができ、特に、開放状態で第一ハウジングの一面に対向するエンドユーザに音声を充分な音圧で提供することができ、閉止状態のときには音声出力部が第一ハウジングの一面の外側に位置することにより、音声出力部が出力する音声が第一ハウジングの一面の両側から他面側に良好に回り込むので、一面側と他面側との音圧の格差を低減することができ、特に、閉止状態で第一ハウジングの他面に対向するエンドユーザに音声を充分な音圧で提供することができる。
【発明を実施するための最良の形態】
【００２６】
本発明の実施の一形態を図面を参照して以下に説明する。なお、本実施の形態では、図示するように前後左右上下の方向を規定して説明する。しかし、これは説明を簡単とするために便宜的に規定するものであり、本発明を実施する場合の製造時や使用時の方向を限定するものではない。
【００２７】
本実施の形態の電気機器である携帯電話端末１００は、図１ないし図３に示すように、扁平で細長いボックス状に各々形成されている第一ハウジング１１０と第二ハウジング１２０とが、ヒンジ機構１３０により開閉自在に軸支されている。
【００２８】
図１(ａ)に示すように、開放状態では第一ハウジング１１０の一面と第二ハウジング１２０の一面との内角が直角以上で平角以下となる。図１(ｂ)に示すように、閉止状態では第一ハウジング１１０の一面と第二ハウジング１２０の一面とが平行に対向する。
【００２９】
図２に示すように、第一ハウジング１１０は、上述の一面にＬＣＤ等のディスプレイパネル１１１が配置されている。第二ハウジング１２０は、上述の一面にキーボードユニット１２１が配置されている。
【００３０】
さらに、第一ハウジング１１０の一面の先端近傍には、通話用のスピーカユニット１１２が内蔵されている。第二ハウジング１２０の一面の先端近傍には、通話用のマイクロフォン１２２が内蔵されている。
【００３１】
一方、図１ないし図３に示すように、第一ハウジング１１０の他面の末端近傍には、音声出力部となる一対の外側開口１４１と一対の内側開口１４２とがヒンジ機構１３０の軸心方向に配列されて形成されている。
【００３２】
一対の外側開口１４１は、ヒンジ機構１３０の軸心方向で第一ハウジング１１０の縁部に近接した位置に形成されており、一対の内側開口１４２は、縁部から離間した位置に形成されている。
【００３３】
また、第一ハウジング１１０の末端近傍の内部には、ヒンジ機構１３０の軸心方向に一対の音声出力デバイスであるスピーカユニット１４０が配置されている。このため、左側のスピーカユニット１４０は、左側の外側開口１４１と左側の内側開口１４２とに対向しており、右側のスピーカユニット１４０は、右側の外側開口１４１と右側の内側開口１４２とに対向している。
【００３４】
また、本実施の形態の携帯電話端末１００は、位置移動機構１５０を有しており、この位置移動機構１５０は、図１(ａ)および図２に示すように、第一ハウジング１１０と第二ハウジング１２０とが開放状態のときに、一対の外側開口１４１を各々開放するとともに一対の内側開口１４２を各々閉止する。
【００３５】
一方、位置移動機構１５０は、図１(ｂ)および図３に示すように、第一ハウジング１１０と第二ハウジング１２０とが閉止状態のときに、一対の外側開口１４１を各々閉止するとともに一対の内側開口１４２を各々開放する。
【００３６】
より具体的には、図４ないし図７に示すように、位置移動機構１５０は、一対のスライダ部材１５１を有している。なお、ここでは図示を簡単とするため、図４ないし図７には、第一ハウジング１１０を要部のみ表記している。
【００３７】
一対のスライダ部材１５１は、外側開口１４１と内側開口１４２と対向する位置で、第一ハウジング１１０の内側に左右方向にスライド自在に支持されている。一対のスライダ部材１５１にはリンク機構１５２が連結されており、このリンク機構１５２がガイドワイヤ１５３でヒンジ機構１３０の回動軸１３１に連結されている。この回動軸１３１は第二ハウジング１２０と一体に形成されている。
【００３８】
このため、図５に示すように、第一ハウジング１１０に第二ハウジング１２０が閉止されると、ガイドワイヤ１５３は回動軸１３１に巻き取られる。一対のスライダ部材１５１は、圧縮スプリング(図示せず)などの弾発機構により、外側に付勢されている。
【００３９】
従って、図５(ａ)および図６(ａ)に示すように、第一ハウジング１１０と第二ハウジング１２０とが開放状態のときは一対のスライダ部材１５１が外側に位置し、第一ハウジング１１０と第二ハウジング１２０とが閉止状態のときは一対のスライダ部材１５１が内側に位置する。
【００４０】
スライダ部材１５１にも、外側開口１５５と内側開口１５６とが形成されている。ただし、図７(ａ)に示すように、スライダ部材１５１が外側に位置したときには、スライダ部材１５１と第一ハウジング１１０との外側開口１５５，１４１が連通し、スライダ部材１５１と第一ハウジング１１０との内側開口１５６，１４２は連通しない。
【００４１】
一方、図７(ｂ)に示すように、スライダ部材１５１が内側に位置したときは、スライダ部材１５１と第一ハウジング１１０との内側開口１５６，１４２が連通し、スライダ部材１５１と第一ハウジング１１０との外側開口１５５，１４１は連通しない。
【００４２】
上述のような構成において、本実施の形態の携帯電話端末１００では、第一ハウジング１１０と第二ハウジング１２０とがヒンジ機構１３０により開閉自在に軸支されている。
【００４３】
従って、使用時には第一ハウジング１１０と第二ハウジング１２０とを開放して操作性を向上させることができ、携帯時には第一ハウジング１１０と第二ハウジング１２０とを閉止して占有容積を削減することができる。
【００４４】
また、本実施の形態の携帯電話端末１００でも、着信用のスピーカユニット１４０に鑑賞用の音楽を出力させることがある。さらに、ディスプレイパネル１１１に鑑賞用の映画の画像などを表示させながら、その映画の音声を着信用のスピーカユニット１４０に出力させることもある。
【００４５】
エンドユーザが音楽のみを鑑賞するような場合には、一般的にエンドユーザは閉止状態の第一ハウジング１１０の他面を自身に対向させ、その他面のスピーカユニット１４０から出力される音楽を聞くことになる。
【００４６】
また、エンドユーザが映画を鑑賞するような場合には、一般的にエンドユーザは開放状態の第一ハウジング１１０の一面を自身に対向させてディスプレイパネルの画像を見ながら、第一ハウジング１１０の他面のスピーカユニット１４０から出力される音声を聞くことになる。
【００４７】
本実施の形態の携帯電話端末１００でも、従来と同様に、開放状態では第一ハウジング１１０の他面から出力される音声が第二ハウジング１２０の他面で反射される。この反射により、第一ハウジング１１０の一面側の音圧が低下されるとともに他面側の音圧が上昇される。
【００４８】
しかし、本実施の形態の携帯電話端末１００では、開放状態では第一ハウジング１１０の内側開口１４２は閉止されて外側開口１４１が開放されるので、この開放された外側開口１４１のみから音声が出力される。このように第一ハウジング１１０の他面の外側から出力された音声は、第一ハウジング１１０の一面側に良好に回り込む。
【００４９】
この回り込みにより、第一ハウジング１１０の一面側の音圧が上昇されるとともに他面側の音圧が低下されることになる。換言すると、本実施の形態の携帯電話端末１００では、開放状態での一面側と他面側との音圧の格差が軽減されている。
【００５０】
一方、本実施の形態の携帯電話端末１００でも、従来と同様に、閉止状態では第一ハウジング１１０の他面から出力される音声が第二ハウジング１２０の他面で反射されることなく一面側に回り込む。この回り込みにより、第一ハウジング１１０の他面側の音圧が低下されるとともに一面側の音圧が上昇される。
【００５１】
しかし、本実施の形態の携帯電話端末１００では、閉止状態では第一ハウジング１１０の外側開口１４１は閉止されて内側開口１４２が開放されるので、この開放された内側開口１４２のみから音声が出力される。このように第一ハウジング１１０の他面の内側から出力された音声は、第一ハウジング１１０の他面により良好に反射される。
【００５２】
この反射により、第一ハウジング１１０の他面側の音圧が上昇されるとともに一面側の音圧が低下されることになる。換言すると、本実施の形態の携帯電話端末１００では、閉止状態での一面側と他面側との音圧の格差が軽減されている。
【００５３】
従って、図１に示すように、本実施の形態の携帯電話端末１００では、開放状態での一面側の音圧をＡ、他面側の音圧をＢ、閉止状態での一面側の音圧をＡ′、他面側の音圧をＢ′、とすると、
Ｂ′＞Ｂ＞Ａ＞Ａ′
なる関係となっている。
【００５４】
このため、本実施の形態の携帯電話端末１００では、前述のように開放状態で第一ハウジング１１０の一面にエンドユーザが対向しているとき、そのエンドユーザに充分な音圧の音声を提供することができる。一方、前述のように閉止状態で第一ハウジング１１０の他面にエンドユーザが対向しているとき、そのエンドユーザにも充分な音圧の音声を提供することができる。
【００５５】
つまり、本実施の形態の携帯電話端末１００は、開放状態と閉止状態とで一面側と他面側との音圧の格差が軽減されている。さらに、その音圧の分布と使用形態とが適合している。
【００５６】
なお、本発明は本実施の形態に限定されるものではなく、その要旨を逸脱しない範囲で各種の変形を許容する。例えば、上記形態では携帯電話端末１００として携帯電話端末１００を例示した。しかし、本発明は第一ハウジングと第二ハウジングが開閉自在に軸支されており、第一ハウジングの一面に音声出力部が位置する各種の電子機器に適用することができ、例えば、ＰＤＡ(Personal Digital Assistance)やノートパソコンなどにも適用することができる(図示せず)。
【００５７】
また、上記形態では、スピーカユニット１４０、外側開口１４１、内側開口１４２、スライダ部材１５１、等が左右一対に形成されていることを例示した。しかし、これらの構成は左右の一方のみでもよい。
【００５８】
さらに、上記形態では説明を簡単とするため、第一ハウジング１１０の内側にスライダ部材１５１が直接に配置されていることを例示した。しかし、第一ハウジング１１０とスライダ部材１５１との間隙に弾性体からなるパッキン(図示せず)などを配置することもできる。
【００５９】
この場合、パッキンにより第一ハウジング１１０とスライダ部材１５１との密着性が向上するので、閉止した外側開口１４１や内側開口１４２からの音漏れを抑制することができる。
【００６０】
また、上記形態ではスライダ部材１５１が第一ハウジング１１０の内側に位置する構造を例示した。しかし、スライダ部材が第一ハウジングの外側に位置する構造もできる(図示せず)。
【００６１】
さらに、上記形態では音声出力部の位置を外側と内側とに移動させる位置移動機構１５０の構造を具体的に例示した。しかし、この位置移動機構は各種の構造に形成することができる。
【００６２】
例えば、外側開口と内側開口とにソレノイドにより開閉されるカバーを個々に配置し、そのカバーを選択的に開閉させることにより、音声出力部の位置を外側と内側とに移動させることもできる(図示せず)。
【００６３】
また、極小のスピーカユニットを左右にスライド移動させることにより、音声出力部の位置を外側と内側とに移動させることもできる(図示せず)。さらに、極小のスピーカユニットを外側と内側とに配置しておき、それらを選択的に機能させることにより、音声出力部の位置を外側と内側とに移動させることもできる(図示せず)。
【００６４】
さらに、上記形態では第一ハウジング１１０の閉止状態で外面となる他面に音声出力部が形成されており、その音声出力部が、開放状態では外側に位置して閉止状態では内側に位置することを例示した。
【００６５】
しかし、第一ハウジングの一面に音声出力部が形成されており、その音声出力部を、開放状態では第一ハウジングの縁部から離間した位置に配置させ、閉止状態では縁部に近接した位置に配置させることもできる(図示せず)。この場合も、第一ハウジングの開放状態と閉止状態での一面側と他面側との音圧の格差を低減することができる。
【図面の簡単な説明】
【００６６】
【図１】本発明の実施の形態の電気機器である携帯電話端末の開閉状態を示す模式図である。
【図２】携帯電話端末の開放状態の外観を示す正面図および背面図である。
【図３】閉止状態の外観を示す正面図および背面図である。
【図４】位置移動機構の組立構造を示す分解斜視図である。
【図５】位置移動機構の動作を示す縦断側面図である。
【図６】位置移動機構の動作を示す斜視図である。
【図７】位置移動機構の動作を示す横断平面図である。
【図８】一従来例の携帯電話端末の開閉状態を示す模式図である。
【符号の説明】
【００６７】
１００    携帯電話端末
１１０    第一ハウジング
１２０    第二ハウジング
１３０    ヒンジ機構
１４０    スピーカユニット
１５０    位置移動機構
１５５    外側開口
１５５，１４１    外側開口
１５６，１４２    内側開口
【図１】
2007251578.tif 000003
【図２】
2007251578.tif 000004
【図３】
2007251578.tif 000005
【図４】
2007251578.tif 000006
【図５】
2007251578.tif 000007
【図６】
2007251578.tif 000008
【図７】
2007251578.tif 000009
【図８】
2007251578.tif 000010